(57)【要約】【課題】商品券又はサービス券を使用して買い物をしたり、サービスを受ける場合、つり銭をもらわないで精算することが出来るようにした商品券精算システムの提供。【解決手段】買い物をした際の支払金額が商品券又はサービス券の額面より少ない場合には、つり銭に相当する額面の商品券又はサービス券を新たに発行し、次回の買い物時に使用するようにしている。【選択図】    図１
2007141048.tif 000002
【特許請求の範囲】
【請求項１】
商品券又はサービス券を使用して買い物をしたり、サービスを受ける場合、支払金額が上記商品券又はサービス券の額面より少ない場合には、つり銭に相当する額面の商品券又はサービス券を新たに発行することを特徴とする商品券による精算スシステム。
【請求項２】
上記商品券又はサービス券にはバーコードを表示し、該バーコードには、少なくとも発行連番、商品券とサービス券を区別する為の券種番号、発行回数番号、額面を記入した請求項１記載の商品券による精算スシステム。
【発明の詳細な説明】
【技術分野】
【０００１】
本発明は商品券やサービス券を用いて買い物を行う際の精算スシステムに関するものである。
【背景技術】
【０００２】
今日、各種商品を購入する際の支払方法は色々存在しているが、最も一般的な方法は昔から行われているように現金を支払っての精算である。又、最近では現金を持ち歩くことを嫌う人もあって、カードにて精算する場合も多い。一方、現金に代用するものとして、商品券も多用されている。冠婚葬祭のお祝いや香典の返しとして商品券が利用されるケースが多く、この商品券を買い物時に現金の代わりとして支払うことが出来る。
【０００３】
ところで、上記商品券は１０００円券、２０００円券、３０００円券、５０００円券、１００００円券などが発行されているのみで、１円券や１０円券は存在していない。その為に、買い物をした際に、又食事をした際に、商品券にて精算する場合には、商品券と不足分の現金を支払うことが必要となる。勿論、商品券を払ってお釣りをもらうことは出来ず、消費者にとっては不便を感じることが多い。
【０００４】
従来、購入金額に応じてサービスポイントを付与すると共に、このサービスポイントを顧客カードに記録しておき、次回の商品購入に際してポイント数に応じたサービスを受けることが出来るシステムは従来から知られている。これは、現金支払であっても、カード支払であっても、又商品券支払であっても同じようなサービスを受けることは出来る。
【０００５】
又、客に対してサービスポイントと連動して商品券を発行できるようにすると共に、現金の代わりに商品券を受け取った店舗では何時でも商品券の代金精算処理が行えるようにしたシステムが知られている。これは、特開２００４−２５８８２６号に係る「金券発行精算システム」である。
【０００６】
このようにサーボスポイントの代わりに発行される商品券を使用する場合も、従来からの商品券と同じく、商品購入後の精算時にはつり銭を受け取ることは出来ず、端数の金額は現金を支払うことが必要となる。
【特許文献１】、特開２００４−２５８８２６号に係る「金券発行精算システム」
【発明の開示】
【発明が解決しようとする課題】
【０００７】
このように、商品券やサービス金券を用いて商品購入後の精算をする際には上記のごとき問題がある。本発明が解決しようとする課題はこの問題点であり、商品券やサービス金券だけで精算することが出来るようにした商品券精算システムを提供する。
【課題を解決するための手段】
【０００８】
本発明に係る商品券による精算システムは、商品券又はサービス金券を使用して精算する場合、つり銭の代わりに新たな商品券又はサービス券を発行するシステムである。勿論、客が商品券の額面に足らない端数を現金で支払う場合には従来通りであるが、現金にて端数の支払をしない場合に再度商品券又はサービス券を発行して金券としての機能を持たせる。
【０００９】
ここで、発行する商品券又はサービス券には「番号」及び「額面」などが印刷されるが、通常の数値表示のみならずＰＯＳ又はコンピュータで即時処理する為に、又は複製を防止する為にバーコードにて表示している。そして、発行した商品券又はサービス券に付されるこれらの項目はコンピュータに記録される。新たに発行される商品券又はサービス券に関しても、「額面」などの主な事項はコンピュータに記録され、最初の商品券又はサービス券のつり銭代わりとして発行したことが分かるように、その繋がりも記録される。
【発明の効果】
【００１０】
本発明に係る商品券精算システムは、商品券を使用して購入商品の精算を行う場合、つり銭の代わりに該つり銭額に相当する新たな商品券又はサービス券を受け取ることが出来る。そして、この商品券又はサービス券が次回の商品購入時に代金の一部として使用できる。さらに、この商品券又はサービス券を用いて支払する際にも、商品価格が商品券又はサービス券の額面より小さい場合には、つり銭代わりに再度商品券又はサービス券を受け取ることが可能と成る。従って、商品券を使用する顧客にとっては現金を使わなくてよく便利である。
【００１１】
そして、コンピュータからプリントアウトされる商品券又はサービス券にはつり銭の額面を表示する金額が数字のみならずバーコードで表示されるために、複製を抑制することが出来る。又、レジ精算の現場にて商品券又はサービス券を用いた買い物の精算が正確に行われ、しかも迅速に処理できる。一方、商品券などを使用してつり銭代わりにサービス券を発行することで、このサービス券を使用するために再度来店することで、顧客が他店に流れることを食い止めることが出来る効果もある。
【実施例】
【００１２】
図１は本発明に係る商品券の精算システムの概要を表し、図２は１０００円サービス券の具体例である。新規のサービス券(商品券)はコンピュータの発行ファイルに記録され、その枚数、各商品券の額面、商品券ＮＯ、そして額面を表すバーコードなどの主な事項が記録されている。
【００１３】
このサービス券(商品券)は多くの不特定多数の顧客に配布される。ここで、配布の仕方、配布の目的は本発明とは直接関係ない為に問わないことにする。コンピュータには配布されたサービス券などの番号、額面が記録され、買い物時の精算に際してこのサービス券が使用されるならば、このことも商品券ＮＯと共に把握されてコンピュータに記録される。
【００１４】
そして、市場に出回ったサービス券(商品券)は商品購入時の精算に際して使用することが出来る。例えば、支払金額が３５００円である場合、１０００円のサービス券３枚と現金５００円を支払うことで精算することが出来る。しかし、このように端数を現金にて支払うのであれば従来と同じであり、本発明では１０００円のサービス券を４枚使うことが出来る。
【００１５】
そして、つり銭に相当する５００円分を新たなサービス券(商品券)として受け取ることが出来る。１０００円額面の商品券４枚を端末機にて処理するならば、この事実はコンピュータに前以て記録されているデータと照合される。サービス券が偽造されたものであるならば、直ちにその事実が把握されて小売店の端末機へ連絡される。
【００１６】
所定の１０００円サービス券(商品券)が市場から戻って来た旨がコンピュータに記録されると同時に、新たな５００円額面のサービス券(商品券)が発行されることもコンピュータに記録される。勿論、５００円額面のサービス券(商品券)の番号が記録され、何所の小売店から発行されたかも明らかとなる。
【００１７】
図３はサービス券又は商品券を発行する場合のフローチャートである。
(１)券種、額面、作成枚数をコンピュータに入力する。
ここで、上記券種とは商品券とサービス券を区別して作成する為に、商品券の場合には１を、サービス券の場合には２を入力する。額面とは１０００円、２０００円、３０００円、５０００円など、商品券やサービス券に表示される金額である。そして、枚数は作成する枚数分が入力される。
(２)各商品券又はサービス券を作成するに当たり、同図の長方形で枠組みした基本項目及び補助項目が入力される。
〔基本項目〕
ａ．発行連番
全ての商品券又はサービス券には番号が付され、しかも番号は重複することがないように異なる連続番号となっている。この連番は作業者が入力しなくても自動的に付される。
ｂ．券種
商品券の場合には１が、サービス券の場合には２を入力する。
ｃ．発行回数
最初の商品券及びサービス券であれば、常に「１」を入力する。そして、この商品券又はサービス券を用いて買い物を行い、精算するに際してつり銭代わりに発行される新たな商品券又はサービス券には「２」が付される。勿論、数字ではなく、「Ａ」，「Ｂ」を付すことも可能である。
ｄ．額面
商品券又はサービス券の額面が入力される。
〔補助項目〕
ａ．店区
どの店で発行した商品券又はサービス券であることが分かるように、店の番号又は記号を入力する。
ｂ．端末区
店には複数の端末機が設置されている場合が多く、この端末機の番号又は記号が入力される。
ｃ．発行年月日
商品券又はサーボス券を発行した日付けが入力される。
ｄ．担当区
商品券又はサービス券を発行した担当者の氏名が記入される。これの担当者に付された番号又は記号にて表示する。
【００１８】
ところで、上記基本項目のａ〜ｄはバーコード化して、商品券又はサービス券が使用された際には、スキャナで即座に読み込むことが出来るようにしている。このような項目を持って作成される商品券又はサービス券はプリンターにてプリントアウトされるが、商品券の場合には専用プリンターを使用して商品券として見栄えを良好にする。これに対してサービス券の場合にはレシート用プリンターにてプリントアウトされる。
【００１９】
図４は商品券又はサービス券を用いて買い物とした場合のフローチャートである。
(１)顧客が買い物の精算として商品券又はサービス券を差し出した場合、この商品券又はサービス券のバーコードで表示している基本項目ａ〜ｄをスキャナで読み込む。
(２)スキャナで読み込んだ基本項目ａ〜ｄがコンピュータに記録されている発行ファイルに基づき、商品券又はサービス券であることを確認する。違っているならばエラーが発生する。
(３)使用された商品券又はサービス券が発行ファイルに記録されているものであることが確認されたところで、商品券又はサービス券を使って精算を行うことが可能となる。
(４)買い物の精算額が商品券又はサービス券の額面より大きい場合、顧客は不足している差額を現金で支払うならば、精算はこれで終了する。これは従来から行われている精算方法である。
(５)逆に、買い物の精算額が商品券又はサービス券の額面より小さい場合、店は新たな商品券又はサービス券を発行する。
この商品券又はサービス券には枠組みした項目を入力して作成され、端末機からプリントアウトされて顧客に渡される。
ａ．発行連番
ｂ．券種
商品券の場合には１を、サービス券の場合には２が付される。
ｃ．発行回数
発行回数として２を入力する。最初の商品券又はサービス券には「１」が付されており、この商品券又はサービス券を使用し、その精算のつり銭代わりとして発行する新たな商品券又はサービス券には「２」が付される。そして、さらにつり銭代わりの「２」が付された商品券又はサービス券に対して再度発行する商品券やサービス券に対しては「３」が付される。勿論、連番となる数字ではなく、「Ａ」，「Ｂ」，「Ｃ」・・を付すことも出来る。
ｄ．額面
つり銭の金額が付される。
ｅ．店区
何所の店で発行したかが分かるように店番が付される。
ｆ．端末区
店には複数の端末機が設置される場合が多く、この各端末機の番号が付される。
ｇ．発行年月日
商品券又はサービス券を発行した日付けが付される。
ｈ．担当区
商品券又はサービス券を発行した担当者名の番号が付される。
【００２０】
上記のように各項目が入力されたところでプリントアウトされるが、商品券の場合には専用プリンターが使用され、サービス券の場合には一般のレシート用プリンターが用いられる。そして、新たに発行した商品券又はサービス券に付された項目はコンピュータに記録される。
【図面の簡単な説明】
【００２１】
【図１】本発明に係る販売サービスシステムの概要。
【図２】１０００円のサービス券。
【図３】商品券又はサービス券を発行する場合のフローチャート。
【図４】商品券又はサービス券を利用して精算する場合のフローチャート。
【図１】
2007141048.tif 000003
【図２】
2007141048.tif 000004
【図３】
2007141048.tif 000005
【図４】
2007141048.tif 000006